(57)【特許請求の範囲】
【請求項１】
矩形板状の掛軸本体を、矩形の一辺が下辺となるように、立てた状態で支持するスタンド掛軸であって、
掛軸本体の下辺を、掛軸本体が直立するように、前面下部および背面下部を含めて支持する支持部材と、
掛軸本体の下辺に対向する上辺に装着されて、掛軸本体の上辺で支持される保持部材と、
を含み、
支持部材および保持部材は、幅方向に関し、掛軸本体の下辺および上辺とそれぞれ同等の長さを有することを特徴とするスタンド掛軸。
【請求項２】
前記掛軸本体は、
表示枠が印刷される矩形板と、
表示枠に収まるように貼付けられ、掛軸として表示すべき対象が形成されるシールとを、
含む、
ことを特徴とする請求項１記載のスタンド掛軸。
【請求項３】
前記矩形板は着色樹脂で形成され、
前記シールは、矩形板の表面側で表示枠に外囲される状態で貼付けられ、
シールを貼付けた前記掛軸本体の前面を覆い、前記支持部材で下部を掛軸本体とともに支持され、前記保持部材で上部を保持される透明なカバーをさらに含む、
ことを特徴とする請求項２記載のスタンド掛軸。
【発明の詳細な説明】
【技術分野】
【０００１】
本発明は、家具調仏壇などに設置して用いるスタンド掛軸に関する。
【背景技術】
【０００２】
従来から、仏壇内には寺院の内陣を模して、本尊の絵等の仏画や題目が表示された掛軸を、掛けるのではなく、立てた状態で使用する仏具が設置されている（たとえば、特許文献１参照）。特許文献１に開示されている仏具では、仏壇内に設置する台座から支柱を立て、仏画を入れる額縁を裏側から支柱で支えている。
【０００３】
板状の台座から板状の保持板を立設させ、保持板の表面側に両側方および下方で縁取られる凹部を設け、両側縁および下縁に溝部を設け、溝部に本尊の絵柄が表示された板状体を上方から挿入し、上部に蓋を被せる本尊付き仏具も知られている（たとえば、特許文献２参照）。
【先行技術文献】
【特許文献】
【０００４】
【特許文献１】特許第４８１８６８７号公報
【特許文献２】特開２００１−３１４３０９号公報
【発明の概要】
【発明が解決しようとする課題】
【０００５】
特許文献１や特許文献２に開示されている仏具では、本尊の絵柄の周囲に額縁状の枠を設けている。枠は木製と考えられ、製作に手間がかかる。近年、仏壇を設置する部屋など
の環境が変化し、仏壇のデザインも変化して、モダン仏壇などと呼ばれるものも用いられるようになっている。このような仏壇と、枠を用いる掛軸とは、必ずしも調和しない。  本発明の目的は、簡単な構造、かつ低コストで製造することができ、各種仏壇内に設置しても調和しやすいスタンド掛軸を提供することである。
【課題を解決するための手段】
【０００６】
本発明は、矩形板状の掛軸本体を、矩形の一辺が下辺となるように、立てた状態で支持するスタンド掛軸であって、
掛軸本体の下辺を、掛軸本体が直立するように、前面下部および背面下部を含めて支持する支持部材と、
掛軸本体の下辺に対向する上辺に装着されて、掛軸本体の上辺で支持される保持部材と、
を含み、
支持部材および保持部材は、幅方向に関し、掛軸本体の下辺および上辺とそれぞれ同等の長さを有することを特徴とするスタンド掛軸である。
【０００７】
また本発明で、前記掛軸本体は、
表示枠が印刷される矩形板と、
表示枠に収まるように貼付けられ、掛軸として表示すべき対象が形成されるシールとを、
含む、
ことを特徴とする。
【０００８】
また本発明で、前記矩形板は着色樹脂で形成され、
前記シールは、矩形板の表面側で表示枠に外囲される状態で貼付けられ、
前記掛軸本体の前面は、透明なカバーで覆われ、
前記支持部材は、カバーとともに掛軸本体を支持し、
前記保持部材は、掛軸本体およびカバーの上辺で支持される、
ことを特徴とする。
【発明の効果】
【０００９】
本発明によれば、矩形板状の掛軸本体を立てた状態で、下辺を支持部材で支持し、上辺に保持部材を装着して支持することで、簡単な構造、かつ低コストでスタンド掛軸を製造することができる。掛軸本体の上辺で保持部材を直接支持し、掛軸本体の周囲に保持部材を支持するための額縁状の枠を用いないので、設置する仏壇のデザインに調和しやすくすることができる。
【００１０】
また本発明によれば、掛軸本体の矩形板に表示枠が形成され、掛軸として表示すべき対象が形成されるシールが表示枠に収まるように貼付けられるので、表示枠を含む矩形板を共通化して、シールの違いで種々の要求に応えうる多様性を持たせることができる。
【００１１】
また本発明によれば、矩形板の表面側に印刷される表示枠に外囲される状態でシールが貼付けられるので、シールを重ねて貼れば、掛軸として表示すべき対象を容易に変更することができる。シールを貼付けた矩形板の表面は、透明なカバーで覆われるので、汚れも付着しにくくすることができる。

【図面の簡単な説明】
【００１２】
【図１】図１は、本発明の実施例１としてのスタンド掛軸１の概略的な構成を示す正面図および右側面図である。
【図２】図２は、図１のスタンド掛軸１に用いる掛軸本体２の正面図および背面図である。
【図３】図３は、本発明の実施例２としてのスタンド掛軸１１の概略的な構成を示す正面図および右側面図である。
【図４】図４は、図３のスタンド掛軸１１に用いる支持部材１４の平面図、正面図および右側面図である。
【図５】図５は、図３のスタンド掛軸１１に用いる保持部材１５の平面図、正面図および右側面図である。
【図６】図６は、本発明の実施例３としてのスタンド掛軸２１の分解右側面図である。
【発明を実施するための形態】
【００１３】
以下、図１、図２では、本発明の実施例１としてのスタンド掛軸１について説明する。図３〜図５では、本発明の実施例２としてのスタンド掛軸１１について説明する。図６では、本発明の実施例３としてのスタンド掛軸２１について説明する。説明の便宜上、実施例１と実施例２とで、対応する部分には同一の参照符を付し、重複する説明は省略する場合がある。また、説明対象の図には記載されていない部分について、他の図に記載される参照符を付して言及する場合がある。
【実施例１】
【００１４】
図１は、本発明の実施例１としてのスタンド掛軸１の概略的な構成を、（ａ）の正面図、および（ｂ）の右側面図でそれぞれ示す。スタンド掛軸１は、矩形板状の掛軸本体２を含む。掛軸本体２を、矩形の一辺が下辺となるように、立てた状態で支持するために、支持部材４は、掛軸本体２の下辺を、掛軸本体２の前面に装着される前部４ａと掛軸本体２の後面に装着される後部４ｂとで挟んで支持する。保持部材５は、掛軸本体２の下辺に対向する上辺を、掛軸本体２の前面に装着される前部５ａと掛軸本体２の後面に装着される後部５ｂとで挟んで保持する。支持部材４および保持部材５の掛軸本体２への装着は、接着や粘着で行う。溶剤や、加熱、超音波などを利用して、自己融着させることもできる。
【００１５】
掛軸本体２は、矩形板３と表示枠６とシール７とを含む。矩形板３には、表示枠６が形成される。シール７は、表面側に、掛軸として表示すべき対象７ａ、例えば仏像の絵が形成され、裏面側に付着させる粘着剤によって、矩形板３の表面側の表示枠６に収まるように貼付けられる。掛軸本体２の矩形板３に表示枠６が形成され、掛軸として表示すべき対象が形成されるシール７が表示枠６に収まるように貼付けられるので、表示枠６を含む矩形板３を共通化して、シール７の違いで宗派の違いなどの種々の要求に応えうる多様性を持たせることができる。
【００１６】
スタンド掛軸１は、矩形板状の掛軸本体２を立てた状態で、下辺を支持部材４で支持し、上辺に保持部材５を装着するだけの簡単な構造となり、低コストで製造することができる。矩形板３の素材を、例えば黒色に着色した樹脂材料とし、表面を鏡面に仕上げれば、黒漆塗りの仏壇の風合いと同じようにして、調和させることができる。黒ではない色に着色した樹脂材料を素材とすれば、ピアノ塗装したモダン仏壇に調和させることもできる。保持部材５の後部５ｂは、省略することもできる。
【００１７】
また、本実施例のように、支持部材４の前部４ａの前後方向の長さよりも後部４ｂの前後方向の長さを短くしておけば、仏壇内などに設置する際に、スタンド掛軸１の背面側に必要なスペースを小さくして、壁面などに近付けることができる。なお、前部４ａと後部４ｂの長さを同じにしておけば、掛軸本体２を支持部材４の前後の中心に配置することになる。この場合、矩形板３の両側に表示枠６を印刷し、シール７も表示枠６に合わせて表裏に貼付けるようにしてもよい。このような掛軸本体２は、表裏の反転でリバーシブルに表示枠６およびシール７による表示を切換えることができる。
【００１８】
図２は、掛軸本体２の構成を、（ａ）の正面図、および（ｂ）の背面図でそれぞれ示す。矩形板３は、黒色や白色アクリル樹脂など着色した樹脂を素材とし、その表面側に表示枠６を印刷する。印刷は、スクリーン印刷や金属箔のホットスタンプで行うことができる。また印刷は、金属箔の部分転写で表示枠６を形成した樹脂のベースフィルムから、インモールドで表示枠６のみ矩形板３の表面側に転写させたり、インサートでベースフィルムとともに付着させたりして行うこともできる。表示枠６として、木目や布目を矩形板３に転写させることもできる。樹脂材料を使用すると、木材を使用する場合のように吸湿し難くなり、吸湿の影響による反りを免れることができるので、額縁状の枠を設けて頑丈に固定しなくてもすむ。
【００１９】
矩形板３の素材を透明な樹脂にすれば、裏面側に、金属箔をホットスタンプで部分転写した表示枠６を含む白色などの有色の樹脂のベースフィルムをインサートしてもよい。また、ベースフィルムをインサートしてから、金属箔の表示枠６をベースフィルムにホットスタンプで部分転写してもよい。透明な矩形板３の裏面側に表示枠６とともにベースフィルムを付着させても、矩形板３の表面側からは、樹脂フィルムを背景として、表示枠６が見えるようになる。そのような矩形板３の表面側に、シール７を貼付けても、粘着剤は表示枠６には接触しないので、シール７を貼替えても、表示枠６が剥がれることはない。
【００２０】
矩形板３としては、たとえば難燃性の評価で、ＵＬ９４規格の垂直燃焼試験によるグレードがＶ−２、酸素指数が２４から２５で自己消火性のポリカーボネート樹脂を素材とすることが好ましいけれども、他の透明なプラスチックやガラスを使用することもできる。たとえば、鏡面仕上げにはアクリル樹脂を使用することが好ましい。
【００２１】
掛軸本体２では、矩形板３などの樹脂材料の厚さが製造段階で変動するおそれがある。本実施例では、支持部材４と保持部材５とを前部４ａ，５ａと後部４ｂ，５ｂとに分けて、矩形板３の前面と後面とにそれぞれ装着するので、厚みの変動の影響を受けないようにすることができる。
【実施例２】
【００２２】
図３は、本発明の実施例２としてのスタンド掛軸１１の概略的な構成を、（ａ）の正面図、および（ｂ）の右側面図でそれぞれ示す。スタンド掛軸１１は、図１の支持部材４および保持部材５に替えて、支持部材１４および保持部材１５を有する。支持部材１４は、掛軸本体２とカバー１２とを、積層し、矩形の一辺が下辺となるように、立てた状態で支持するために、掛軸本体２およびカバー１２の下辺を、挟んで支持する溝１４ａを上部に有する。保持部材１５は、掛軸本体２およびカバー１２の下辺に対向する上辺を、挟んで保持する溝１５ａを下部に有する。カバー１２は、透明な樹脂、たとえばアクリル樹脂を素材とする。掛軸本体２の前面は透明なカバー１２で覆われるので、汚れも付着しにくくすることができる。また、カバー１２の前面に付着する汚れは、容易に払拭することができる。矩形板３に着色した樹脂を用いると、透明な樹脂よりも低コストなので、矩形板３をカバー１２よりも厚くしておけば、温度や湿度による経年変化を受けても、反り難くなる。
【００２３】
なお、同様なカバー１２は、図１の掛軸本体２の前面側に用いることもできる。その場合、支持部材４は、掛軸本体２およびカバー１２の下辺を、カバー１２の前面に装着される前部４ａと掛軸本体２の後面に装着される後部４ｂとで挟んで支持する。保持部材５は、掛軸本体２およびカバー１２の下辺に対向する上辺を、カバー１２の前面に装着される前部５ａと掛軸本体２の後面に装着される後部５ｂとで挟んで保持する。支持部材４および保持部材５の掛軸本体２およびカバー１２への装着は、接着や粘着で行う。溶剤や、加熱、超音波などを利用して、自己融着させることもできる。掛軸本体２とカバー１２との間は、上辺付近と下辺付近とのうちの少なくとも一方で、接着などで接合する。接合部分は、支持部材４の前部４ａや保持部材５の前部５ａで隠れる範囲とすることが好ましい。
【００２４】
図４および図５は、支持部材１４および保持部材１５の構成について、（ａ）の平面図、（ｂ）の正面図および（ｃ）の右側面図でそれぞれ示す。掛軸本体２およびカバー１２の下辺と上辺とを、支持部材１４の溝１４ａと保持部材１５の溝１５ａとに嵌合させて支持および保持することができるので、掛軸本体２とカバー１２との間を接合しなくてもよい。支持部材１４は、スタンド掛軸１１として倒れにくくするために、保持部材１５よりも重くなるようにしておく。支持部材１４や保持部材１５は、溝１４ａ，１５ａを有する点を除き、図１の支持部材４および保持部材５とそれぞれ同様である。
【００２５】
すなわち、支持部材４，１４や保持部材５，１５の素材には、プラスチック、金属、石材、木材などを使用することができる。プラスチックや木材を使用する場合は、難燃処理を施すことが好ましい。各実施例では、支持部材４，１４と保持部材５，１５の長さを、カバー１２および矩形板６の短辺の長さと同一にしている。ただし、図１および図３の（ｂ）に示す右側面図では横方向となる幅は、支持部材４，１４の方が保持部材５，１５よりも大きくなるようして、安定な支持が可能なようにしている。なお、支持部材４では前部４ａの幅を後部４ｂよりも大きくして、支持部材１４では溝１４ａを設ける位置を背面側に近付けて、支持部材４，１４が背面側にあまり出ないようにしている。支持部材４で前部４ａと後部４ｂとの幅を同等にしたり、支持部材１４で幅方向の中央付近の位置に溝１４ａを設けたりすれば、より安定な支持が可能となる。図１および図３の（ａ）の正面図では横方向に示す、支持部材４，１４や保持部材５，１５の長さは、カバー１２および矩形板３の短辺の長さと同一でなくてもよい。たとえば、支持部材４，１４の長さを短辺よりも長くすれば、スタンド掛軸１，１１として、より安定に支持することができる。また、支持部材４と保持部材１５とを組合せたり、支持部材１４と保持部材５とを組合せたりしてもよい。
【００２６】
なお、掛軸本体２とカバー１２との厚さは、カバー１２や矩形板３の製造の段階で変動するおそれがある。矩形板３を薄い板材を重ねて形成し、板材間に圧縮性可能な紙や布を挟んで矩形板３よりも少し厚くしてから溝１４ａ，１５ａに挿入するようにすれば、支持や保持を確実に行うことができる。この場合、接着剤を使用すれば、さらに支持や保持を確実に行うことができる。
【００２７】
また、本実施例でも、矩形板３の両側に表示枠６を印刷し、シール７も表示枠６に合せて表裏に貼付けるようにしてもよい。このような掛軸本体２は、表裏の反転でリバーシブルに表示枠６およびシール７による表示を切換えることができる。
【実施例３】
【００２８】
図６は、本発明の実施例３としてのスタンド掛軸２１の概略的な構成を、分解して側面視した状態で示す。スタンド掛軸２１は、矩形板３を複数枚、たとえば４枚積層して使用し、図３の支持部材１４および保持部材１５に替えて、支持部材２４および保持部材２５を有する。支持部材２４は、掛軸本体２２とカバー１２とを積層状態で、矩形の一辺が下辺となるように、立てて支持するために、掛軸本体２２およびカバー１２の下辺を、挟んで支持する溝２４ａを上部に有する。保持部材２５は、掛軸本体２２およびカバー１２の下辺に対向する上辺を、挟んで保持する溝２５ａを下部に有する。
【００２９】
各矩形板３は、透明アクリル樹脂で形成する。最後に配置される矩形板３には、後面側に金属箔による表示枠６を部分転写した樹脂フィルムをインサートで付着させる。布目や木目などを印刷してもよい。表示枠６を付着させた矩形板３とカバー１２との間となる中間の矩形板３には、異なるシール７を貼付ける。このように複数枚のシール７を重ねた掛軸本体２２を使用すれば、特許文献２の段落［００１９］に記載されているように、シール７を貼付けた矩形板３の位置を交換して、表示枠６を共通に使用し、異なる掛軸として使用することができる。使用しないシール７を貼付けた矩形板３は、使用する矩形板３の裏側で支持および保持するので、保管の手間を省くことができる。さらに、正面からは、表示されるシール７が表示枠６との間に立体的に見えるので、奥行を感じさせることができる。シール７を最後に配置される矩形板３に貼付け、中間の矩形板３には表示枠６を、前面側が大きく、後面側が小さくなるように付着させれば、奥行のある立体的な表示枠６として表示し、その奥にシール７が見えるようにすることもできる。
【００３０】
掛軸本体２２としては、図２に示すような掛軸本体２を複数枚積層するだけでもよい。前面に異なるシール７を貼付けた矩形板３を複数枚使用すれば、中間の矩形板３の順番の変更で、表示を変更することができる。さらに、複数の矩形板３は、厚みや材質を変えることもできる。たとえば、透明なカバー１２に続く矩形板３は透明な材質で厚い樹脂板を使用し、前面側にシール７を貼付け、最後に着色した樹脂による矩形板３で前面側に表示枠６をホットスタンプなどで付着させたものを配置してもよい。
【符号の説明】
【００３１】
１，１１，２１  スタンド掛軸
２，２２  掛軸本体
３  矩形板
４，１４，２４  支持部材
４ａ，５ａ  前部
４ｂ，５ｂ  後部
５，１５，２５  保持部材
６  表示枠
７  シール
７ａ  対象
１４ａ，１５ａ，２４ａ，２５ａ  溝
【図１】
0006722978.tif 000002
【図２】
0006722978.tif 000003
【図３】
0006722978.tif 000004
【図４】
0006722978.tif 000005
【図５】
0006722978.tif 000006
【図６】
0006722978.tif 000007